(57)【要約】      （修正有）【課題】身長や体型が異なる使用者であっても、補助部材をマットレス上の任意の位置（好みの位置）で容易に配置して、使用者に適した寝姿勢を保ち、快適な寝心地となるマットレス装置を提供する。【解決手段】マットレス装置１は、上面２１の両端の長手方向に延びる第１被貼付部２３及び第１貼付部を除く上面２１を覆うように形成されている第２被貼付部２４を有するマットレス２０と、第１被貼付部２３に着脱可能な第１貼付部を有しマットレス２０の上面２１を覆う外装体３０と、第２被貼付部２４に着脱可能な第２貼付部４２を有する補助部材４０とを備え、マットレス２０と外装体３０との間に挟み込まれた補助部材４０が任意の位置に取り付け自在な構成とした。【選択図】図１
2012000153.tif 000002
【特許請求の範囲】
【請求項１】
上面端部に第１被貼付部及び上面に第２被貼付部を有するマットレスと、
前記第１被貼付部に着脱可能な第１貼付部を有し前記マットレスの上面を覆う外装体と、
前記第２被貼付部に着脱可能な第２貼付部を有し、前記マットレスの硬さ調整を行う補助部材とを備え、
前記マットレスと前記外装体とに挟み込まれた状態で前記補助部材が前記マットレス上の任意の位置に取り付け自在であることを特徴とするマットレス装置。
【請求項２】
前記補助部材は、シート形状であることを特徴とする請求項１に記載されているマットレス装置。
【請求項３】
前記補助部材は、少なくとも裏面に前記第２貼付部を有することを特徴とする請求項２に記載されているマットレス装置。
【請求項４】
前記マットレスは、上下両面に前記第１被貼付部と前記第２被貼付部とを有すること特徴とする請求項１乃至請求項３のいずれか一項に記載されているマットレス装置。
【請求項５】
前記外装体の裏面には、前記マットレスの前記第２被貼付部と着脱可能な第３貼付部を幅方向の端部に設けていることを特徴とする請求項１乃至請求項４のいずれか一項に記載されているマットレス装置。
【発明の詳細な説明】
【技術分野】
【０００１】
本発明は、使用者の身長や体型又は好みにあわせて補助部材をマットレスに配置し、使用者の寝姿勢及び寝心地を補助するマットレス装置に関するものである。
【背景技術】
【０００２】
従来のマットレス装置について、特許文献１に示されるものが知られている。
【０００３】
特許文献１のマットレス装置は、凹部を有するクッション枠１と、クッション枠の凹部に配置されるポケットスプリングの集合体２と、クッション枠を覆う開閉自在な外装体３を有しており、弾性特性の異なるポケットスプリング集合体２を選択してクッション枠に収容して全体を外装体で被覆しているスプリング組み替え式の構造と成っている。このポケットスプリング集合体は、ポケットコイル１２が封入された袋１１で構成されたスプリングの集合体であり、このポケットコイルの線径を変更や、袋内にポリウレタンを注入することで弾性特性を変化させている。これにより、ポケットスプリング集合体は、弾性特性の異なるスプリングの組み合わせやスプリング挿入位置の入れ替えによって、使用者の身長や体型に合わせて寝姿勢時のマットレスへの体の部分的な落ち込みの抑制と、快適な寝心地を提供することができる。
【先行技術文献】
【特許文献】
【０００４】
【特許文献１】特開平１１−５６５３６号公報
【発明の概要】
【発明が解決しようとする課題】
【０００５】
上記したマットレス装置は、本来の使用者と異なる使用者が同じポケットスプリング集合体を使用した際に、本来の使用者の身長や体型に合わせたポケットスプリング集合体ではサポート位置が異なるため、使用者が異なると寝姿勢時の部分的な落ち込みの抑制と快適な寝心地を提供できないおそれがある。このため、使用者が異なる時、このマットレス装置は、ポケットスプリング集合体ごと取り替える必要があるため、使用者が変わるごとに取り替え作業を行うのは容易ではない。また、使用者は、日々の状況や好みに応じてポケットスプリングのサポート位置を切り替えることは困難である。
【０００６】
従って、本発明は、身長や体型が異なる使用者であっても、補助部材をマットレス上の任意の位置（好みの位置）で容易に配置して、使用者に適した寝姿勢を保ち、快適な寝心地となるマットレス装置を提供する。
【課題を解決するための手段】
【０００７】
上記の課題を解決するために講じた手段は、マットレス装置は、上面端部に第１被貼付部及び上面に第２被貼付部を有するマットレスと、第１被貼付部に着脱可能な第１貼付部を有しマットレスの上面を覆う外装体と、第２被貼付部に着脱可能な第２貼付部を有し、マットレスの硬さ調整を行う補助部材とを備え、マットレスと外装体とに挟み込まれた状態で補助部材が前記マットレス上の任意の位置に取り付け自在な構成である。
【０００８】
この場合、補助部材は、シート形状であるとよい。
【０００９】
そして、この補助部材は、少なくとも裏面に第２貼付部を有しているとよい。
【００１０】
また、マットレスは、上下両面に第１被貼付部と第２被貼付部とを有しているとよい。
【００１１】
また、外装体の裏面には、マットレスの第２被貼付部と着脱可能な第３貼付部を幅方向の端部に設けているとよい。
【発明の効果】
【００１２】
本発明によれば、このマットレス装置は、マットレスの第１被貼付部と外装体の第１貼付部が着脱可能であるため、マットレスからの外装体の取り外しが容易である。このマットレスの上面に第２被貼付部が設けられていることから、第２被貼付部と容易に着脱可能な第２貼付部を有する補助部材は、マットレスの上面に対して任意の位置で着脱が可能となる。このため、マットレス装置は、身長や体型が異なる使用者でも自分の好みの位置で補助部材を配置できる。さらに、マットレス装置は、補助部材を取り付けることで、任意の位置でマットレスの弾力性を変更することができる。このため、マットレス装置は、マットレスを使用者の適した弾力性に変更できるため、マットレスに対して体の落ち込みを抑制することが可能である。これらから、このマットレス装置は、使用者にあった寝姿勢を保つことができ、快適な寝心地を提供できる。また、補助部材は、第２被貼付部と着脱可能な第２貼付部を有していることから、マットレスに対するずれを抑制することができる。さらに、外装体と挟んで補助部材をマットレス上に取り付けることで、マットレス装置は補助部材を収納できるためマットレス装置の外観を損なうことなく、使用者がマットレスを使用できる。
【００１３】
この場合、マットレスと外装体との間にシート形状の補助部材を取り付けることで、補助部材によって生じる外装体の表面の凹凸を抑制することができる。
【００１４】
また、シート形状の補助部材は、片面に第２貼付部が取り付けられていれば、マットレス上面の第２被貼付部に着脱が自在となる。
【００１５】
また、マットレスが、上面及び下面の両面に第１被貼付部及び第２被貼付部を有していることで、補助部材が必要のない場合に、補助部材をマットレスの下面へ貼り付けて保管することができ、マットレスの両面を使用できることにより片面だけの使用に比べて長期間使用することが可能となる。
【００１６】
また、外装体にマットレスの第２被貼付部に対して着脱可能な第３貼付部を設けることで、外装体はマットレスと密着し、マットレスとの密着性を高めることができ、ずれを防止できる。
【図面の簡単な説明】
【００１７】
【図１】本発明の実施例に係わるマットレス装置の構成を示す分解斜視図である。
【図２】図１に示すマットレスの（ａ）上視図、（ｂ）側面図である。
【図３】図１に示す外装体の（ａ）下視図、（ｂ）端部の要所部分拡大図である。
【図４】図１に示す補助部材の下視図である。
【図５】マットレス装置の取付図である。
【発明を実施するための形態】
【００１８】
本発明の実施例に係わるマットレス装置１の構成について、図１を用いて説明する。図１はマットレス装置１の構成を示す分解斜視図を示している。
【００１９】
図１に示すように、マットレス装置１は、マットレス２０と、マットレス２０の上面２１を覆うように取り付けられる外装体３０と、マットレス２０及び外装体３０との間に取り付けられる補助部材４０とで構成されている。このマットレス２０は、上面２１の幅方向の端部２２には長手方向に沿って第１被貼付部２３（例えば、ファスナー）が設けられ、両側に設けられた第１被貼付部２３の間の上面２１の一部若しくは全体に第２被貼付部２４（例えば、起毛生地）が設けられている。また、この第１被貼付部２３及び第２被貼付部２４は、上面のみならず、下面２５にも同様に設けることも可能である。また、外装体３０は、下面３１の幅方向の端部３２には、長手方向に沿ってマットレス２０の第１被貼付部２３に対応する第１貼付部３３を設けている。さらに、外装体３０は、マットレス２０の第２被貼付部２４に着脱可能な下面３１の長手方向端部３４に幅方向に沿った第３貼付部３５（例えば、面ファスナー）が設けられている。また、このマットレス装置１の補助部材４０は、シート形状を成しており、マットレス２０と着脱する下面４１に第２貼付部４２を設けている。
【００２０】
次に、マットレス装置１を構成する各部材について、図２から図４を用いて説明する。図２はマットレス２０の（ａ）上視図、（ｂ）側面図を示し、図３は外装体３０の（ａ）下視図、（ｂ）端部の要所部分拡大図を示している。図４は、補助部材４０の下視図を示している。
【００２１】
図２より、マットレス２０は、例えば、スプリングのマット部２６を上面２１及び下面２５の生地を側面２７の生地で縫合することによって繋ぎ合わせてマット部２６を覆う。上面２１及び下面２５は、側面２７と繋ぎ合わせた幅方向の端部２２に長手方向に沿った第１被貼付部２３（ファスナー）を設けている。また、上面２１及び下面２５の全体又は一部には、例えば、起毛生地等を用いることで上面の表面に第２被貼付部２４を設けている。この第２被貼付部２４である上面２１及び下面２５は、キルティング加工が施されており、補助部材４０や外装体３０との着脱の際の引っ張りを抑制し、着脱を容易に行うことが可能である。
【００２２】
図３より、外装体３０の下面３１には、マットレス２０の第１被貼付部２３に着脱可能な第１貼付部３３が、第１被貼付部２３に対応するように幅方向の端部３２に設けられている。この外装体３０は、長手方向方向の端部３４（ヘッドボードを取り付けない側）に第２被貼付部２４と着脱可能な第３貼付部３５（面ファスナー）を設けている。このため、外装体３０は、マットレス２０への取り付けた後に、マットレス２０に対しての浮きを抑制することができる。また、外装体３０の表面３６は、マットレス２０の上面２１及び下面２５と同様にキルティング加工が施されており、外装体３０内部の材料との密着性を高めている。
【００２３】
図４に示す補助部材４０は、シート形状を成しており、下面４１にはマットレス２０の第２被貼付部２４に着脱可能な第２貼付部４２が設けられている。この補助部材４０は、例えば硬質材や半硬質材、及び軟質材等といった材料（例えば、ウレタン、フェルト）に限定されることなく用途に合ったものを使用できる。ただし、軟質材等を生地で覆いキルティング加工等を施した際は、第２貼付部４２を下面４１に取り付けると縫い目が表面に表れるおそれがある。このため、図４に示すようにキルティング加工等が施された補助部材４０では、第２貼付部４２は４隅に取り付けられている。このとき、第２貼付部４２は、角を形成する２辺と第２貼付部４２の２つの端部４３とを外枠の縫合とともに取り付けることで上面及び下面４１の表面に縫い目が表れないように取り付けている。硬質材等で補助部材４０が形成されている場合は、補助部材４０の下面４１にテープ等で第２貼付部４２を取り付ければよい。
【００２４】
次にマットレス装置１の取り付けについて、図５を用いて説明する。図５は、マットレス装置１の取付図を示している。
【００２５】
図５に示すように、このマットレス装置１は、外装体３０がマットレス２０に取り付けられた補助部材４０を覆うように組み付けられている。この外装体３０は、補助部材４０による表面の凹凸の形成を抑制できる。これは、補助部材４０の厚さが、例えば、１０ｍｍから２０ｍｍであれば、使用者への補助と同時に外装体３０の表面に補助部材４０の形が表れることがないように形状としているためである。マットレス２０の下面２５が上面２１と同様の構造であるため、補助部材４０を使用しないときには、補助部材４０を直接下面４１に貼り付けて収納することが可能である。さらに、洗濯が可能な素材で外装体３０を形成しているため、外装体３０を洗って取り付ける際に、マットレス２０を上面２１から下面２５へ取り付け場所を替えることで、マットレス２０を清潔に保ち、マットレス２０の使用期間も伸ばすことができる。
【００２６】
以上、実施例の構成について説明したが、本発明はこれに限定されるものではなく、以下に示す態様に変更してもよい。
【００２７】
・マットレス２０の第２被貼付部２４と着脱可能な外装体３０の第３貼付部３５が外装体３０の長手方向と垂直な両端部３４に設けていても良い。これは、ヘッドボード（図示せず）側では、第３貼付部３５がファスナーのようなものであれば、外装体３０を取り外すのは困難である。しかし、第３貼付部３５が面ファスナーのようなものであれば、外装体３０の取り外しは容易である。
【００２８】
・補助部材４０の形状等は実施例に限定されるものではなく、クッションのようなものであってもよい。
【００２９】
・このマットレス装置１は、使用者が外装体３０に故意に段差をつけて使用する場合があるため使用目的に応じて補助部材４０を何枚か重ねて使用すること可能である。ただし、シート形状の補助部材４０は、１枚では外装体３０の外観を損ねない厚さであるとよい。
【００３０】
・補助部材４０の第２貼付部４２は、キルティング加工が施された表面に縫い目が表れないように取り付ければよい。例えば、第２貼付部４２が対向する端部に取り付けられてもよい。
【００３１】
・シート形状の補助部材４０が、硬質材や半硬質材に限定されることなく発熱体であっても良い。補助部材４０は、外装体３０に被覆されているため、発熱体である補助部材４０が使用者に直接触れることなく熱を享受できる。さらに、補助部材４０は、マットレスに貼り付けられているために、ずれることなく、一定の位置で温めることが可能となる。
【符号の説明】
【００３２】
１  マットレス装置
２０  マットレス
２１  上面（マットレス）
２３  第１被貼付部
２４  第２被貼付部
２５  下面（マットレス）
３０  外装体
３３  第１貼付部
３４  幅方向の端部
３５  第３貼付部
４０  補助部材
４１  下面（補助部材）
４２  第２貼付部
【図１】
2012000153.tif 000003
【図２】
2012000153.tif 000004
【図３】
2012000153.tif 000005
【図４】
2012000153.tif 000006
【図５】
2012000153.tif 000007